(57)【要約】【課題】ユーザーの作成したオリジナルなイメージデータを時計文字盤に作製してオリジナル時計を提供する。【解決手段】ネットワークに接続されたサーバに、インターフェース、制御システムおよびデータベースを設け、インターフェースはパソコン等で閲覧可能なＷｅｂページとメール送受信システムとからなり、Ｗｅｂページにはユーザーの作成したオリジナルなイメージデータを使用して時計文字盤に作製してオリジナル時計を提供するための情報を掲載し、ユーザーはＷｅｂにアクセスして、オリジナル時計の注文と同時に、オリジナルなイメージデータを送ることができ、受け付けたイメージデータを処理・加工して時計の文字盤を作製し、その際イメージデータがユーザーの顔である場合に、鼻の下を針の中心に来るようにした文字盤を作製することにより、時計針が髭のようになって、時刻の経過により顔の表情の変化を楽しむことができるオリジナル時計を製造する。【選択図】図１
2005149134.tif 000002
【特許請求の範囲】
【請求項１】
ネットワークに接続されたサーバに、インターフェース、制御システムおよびデータベースを設け、
インターフェースは、ネットワークに開放され、パソコン、ＰＤＡおよび携帯電話等の携帯端末等で閲覧可能なＷｅｂページとメール送受信システムとからなり、
Ｗｅｂページには、ユーザーの作成したイメージデータを時計文字盤に作製し、オリジナル時計を提供するための必要な情報を掲載すると共に、メール受付ボタン等を設け、
制御システムは、統括制御システム、パソコン対応システム、携帯端末対応システム、メール送受信システム等からなり、
データベースは、統括データベース、時計・パッケージデータベース、画像データベース、ユーザー情報管理データベース等からなり、
前記統括制御システムは、統括データベースを通じてインターフェースであるＷｅｂページに最新情報等を常に更新して提供し、
前記制御システムのパソコン対応システムは、パソコンに対応した情報を提供するものであり、前記制御システムの携帯端末対応システムは、ＰＤＡや携帯電話に対応した情報を提供するものであり、
前記制御システムのメール送受信システムは、メール受付ボタンがクリックされることにより、ユーザー情報、イメージ情報、その他情報を受付けると同時にデータベースに蓄積するものであり、
ユーザーは、パソコンや、ＰＤＡおよび携帯電話等の携帯端末によりＷｅｂにアクセスして、時計の注文と同時に、ユーザーのオリジナルなイメージデータを送ることができ、
またメールによっていつでもどこでも必要な情報を得ることができるものであり、
一方、ユーザーのオリジナルなイメージデータを処理・加工して時計の文字盤を作製し、
時計本体に前記文字盤を組み合わせてユーザーのオリジナル時計を製造することを特徴とする時計文字盤作製システム。
【請求項２】
ネットワークに接続されたサーバに、インターフェース、制御システムおよびデータベースを設け、
インターフェースは、ネットワークに開放され、パソコン、ＰＤＡおよび携帯電話等の携帯端末等で閲覧可能なＷｅｂページとメール送受信システムとからなり、
Ｗｅｂページには、ユーザーの作成したイメージデータを時計文字盤に作製し、オリジナル時計を提供するための必要な情報を掲載すると共に、メール受付ボタン等を設け、
制御システムは、統括制御システム、パソコン対応システム、携帯端末対応システム、メール送受信システム等からなり、
データベースは、統括データベース、時計・パッケージデータベース、画像データベース、ユーザー情報管理データベース等からなり、
前記統括制御システムは、統括データベースを通じてインターフェースであるＷｅｂページに最新情報等を常に更新して提供し、
前記制御システムのパソコン対応システムは、パソコンに対応した情報を提供するものであり、前記制御システムの携帯端末対応システムは、ＰＤＡや携帯電話に対応した情報を提供するものであり、
前記制御システムのメール送受信システムは、メール受付ボタンがクリックされることにより、ユーザー情報、イメージ情報、その他情報を受付けると同時にデータベースに蓄積するものであり、
ユーザーは、パソコンや、ＰＤＡおよび携帯電話等の携帯端末によりＷｅｂにアクセスして、時計の注文と同時に、ユーザーのオリジナルなイメージデータを送ることができ、
またメールによっていつでもどこでも必要な情報を得ることができるものであり、
一方、ユーザーのオリジナルなイメージデータを処理・加工して時計の文字盤を作製し、
時計本体に前記文字盤を組み合わせてユーザーのオリジナル時計を製造することを特徴とする時計製造システム。
【請求項３】
ネットワークに接続されたサーバに、インターフェース、制御システムおよびデータベースを設け、
インターフェースは、ネットワークに開放され、パソコン、ＰＤＡおよび携帯電話等の携帯端末等で閲覧可能なＷｅｂページとメール送受信システムとからなり、
Ｗｅｂページには、ユーザーの作成したイメージデータを時計文字盤に作製し、オリジナル時計を提供するための必要な情報を掲載すると共に、メール受付ボタン等を設け、
制御システムは、統括制御システム、パソコン対応システム、携帯端末対応システム、メール送受信システム等からなり、
データベースは、統括データベース、時計・パッケージデータベース、画像データベース、ユーザー情報管理データベース等からなり、
前記統括制御システムは、統括データベースを通じてインターフェースであるＷｅｂページに最新情報等を常に更新して提供し、
前記制御システムのパソコン対応システムは、パソコンに対応した情報を提供するものであり、前記制御システムの携帯端末対応システムは、ＰＤＡや携帯電話に対応した情報を提供するものであり、
前記制御システムのメール送受信システムは、メール受付ボタンがクリックされることにより、ユーザー情報、イメージ情報、その他情報を受付けると同時にデータベースに蓄積するものであり、
ユーザーは、パソコンや、ＰＤＡおよび携帯電話等の携帯端末によりＷｅｂにアクセスして、時計の注文と同時に、ユーザーのオリジナルなイメージデータを送ることができ、
またメールによっていつでもどこでも必要な情報を得ることができるものであり、
そして、ユーザーの注文を受け付けると同時に、時計・パッケージデータベースからユーザーの注文に応じた時計本体の生産を進めておき、
一方、ユーザーのオリジナルなイメージデータを処理・加工して時計の文字盤を作製し、
前もって生産しておいた時計本体に前記文字盤を組み合わせてユーザーのオリジナル時計を製造することを特徴とする時計製造方法。
【請求項４】
前記時計製造成システムにおいて、ユーザーのオリジナルなイメージデータを、写真を郵送、写真を直接持参、あるいはイベント会場等で直接受け取り、時計の注文を受け付けることを特徴とする請求項４記載の時計製造方法。
【請求項５】
ユーザーのオリジナルなイメージデータがユーザーの顔であり、そのイメージデータを処理・加工して時計の文字盤の大きさにして、鼻の下を針の中心に来るように合わせた時計の文字盤を作製することにより、時計針が髭のようになって、時刻の経過により顔の表情の変化を楽しむことができることを特徴とする請求項３および請求項４記載の時計製造方法。
【発明の詳細な説明】
【技術分野】
【０００１】
本発明は、ユーザーの作成したイメージデータを時計文字盤に作成し、オリジナル時計を提供する時計文字盤作成システムおよび時計文字盤作成方法に関するものである。
【背景技術】
【０００２】
時計文字盤には、実用的なもの、装飾的なもの、あるいは各種のキャラクターを採用したもの等、いろいろなデザインが採用され、市販されている。
しかしこれらは、すべて、時計メーカーが一方的に決めたものである。
【０００３】
これに対して、近年、インターネット等のネットワーク技術の発達により、様々なオンラインショップが展開されている。
このような中で、消費者の好みに対応したオリジナルデザイン時計を容易に作成する時計デザイン作成システムであって、時計メーカーが、消費者に提供可能な時計構成部品を示す部品デジタル情報と、それを組み合わせるためのデザインソフト、又はデザインソフトによるデザイン基礎情報を、情報通信ネットワーク上で消費者に提供し、時計供給元は、消費者が時計メーカーから提供された部品デジタル情報とデザインソフトを使用して部品デジタル情報を組み合わせることにより作成した時計オリジナルデザイン情報を受入れ、時計供給元が、消費者から受け取ったオリジナルデザイン情報に基づいて時計を製作し、消費者に提供するシステムが提案されている。
【特許文献１】特開２０００−２０５８９号公報
【特許文献２】特開２００２−１０９３０６号公報
【０００４】
さらに、サーバーに時計製品の特定の部品毎に複数の部品要素が予め用意してある部品ライブラリーを格納し、当該部品ライブラリーの中から注文者が部品要素の選択・組み合わせをすることができるオンライン注文受け付け方法であって、部品の内、例えば、文字板の装飾のために使用される文字データを入力させる文字入力ページと、入力されたデータに基づく製品の完成予想図とをオンラインで提供することが提案されている。
【特許文献３】特開２００１−２０９７０９号公報
【０００５】
しかしながら、前記の技術は、一般ユーザーのオリジナルなイメージデータを直接利用するものではない。
一方、デジタルカメラやビデオ内蔵携帯電話等の普及によって、一般ユーザーの間にオリジナルなイメージデータが豊富に存在するようになった。
【発明の開示】
【発明が解決しようとする課題】
【０００６】
解決しようとする問題点は、一般ユーザーのオリジナルなイメージデータが有効に生かされていない点である。
【課題を解決するための手段】
【０００７】
本発明は、一般ユーザーのオリジナルなイメージデータを時計の文字盤に使用することを最も主要な特徴とする。
【発明の効果】
【０００８】
本発明の時計文字盤作成システムおよび時計文字盤作成方法は、インターネット等のネットワークを通して、一般ユーザーのオリジナルなイメージデータを受付けて、時計の文字盤を作製し、世界に一つしかない時計を提供することができるという利点がある。
そして、ユーザーのオリジナルなイメージデータがユーザーの顔であり、そのイメージデータを処理・加工して時計の文字盤の大きさにし、鼻の下を針の中心に来るように合わせた時計の文字盤を作製することにより、時計針が髭のようになって、時刻の経過により顔の表情の変化を楽しむことができる。
【発明を実施するための最良の形態】
【０００９】
インターネット等のネットワークを利用し、一般ユーザーのオリジナルなイメージデータを受け取り、そのイメージデータに基づく時計の生産を受け付け、画像を処理・加工し、文字盤を作製し、その文字盤を使用した時計をユーザーに納品することを実現した。
【実施例１】
【００１０】
図１は、本発明に係る時計製造システムの１実施例を示す全体図である。
１はサーバ、２はインターフェース、３は制御システム、４はデータベース、５はインターネット等のネットワークである。また、６はパソコンユーザ−（ＰＣ１〜ＰＣ５）、７は携帯電話のユーザー（Ｋ１〜Ｋ２）、８はＰＤＡのユーザー（ＰＤＡ１〜ＰＤＡ２）である。
インターフェース２は、ＷｅｂページのインターフェースＡ１、パソコンで閲覧可能なインターフェースＡ２、ＰＤＡおよび携帯電話で閲覧可能なインターフェースＡ３、およびメール送受信可能なインターフェースＡ４からなる。
制御システム３は、統括制御システムＢ１、パソコン対応システムＢ２、ＰＤＡおよび携帯電話等の携帯端末対応システムＢ３、メール送受信システムＢ４、および写真を郵送、直接持参、あるいはイベント会場等でイメージデータを直接受付た場合に対応するシステムＢ５からなる。
データベース４は、統括データベースＤ１、時計本体、パッケージ等のデータベースＤ２、画像情報データベースＤ３、およびユーザー管理データベースＤ４からなる。
ＯＰは、管理者および作業者等のオペレーターであり、ＰＣは、オンラインで接続された画像処理を専門にするパソコンであり、Ｄはその操作を行うデザイナーである。
【００１１】
時計本体、パッケージ等のデータベースＤ２には、時計のサイズ・色・デザイン、時計バンド等のデータ、および台紙に入れるイラスト等のデータが格納されている。
画像情報データベースＤ３には、ユーザのオリジナルなイメージデータを処理加工したデータが格納される。
ユーザー管理データベースＤ４には、オリジナル時計の製造を注文したユーザーの氏名、住所、電話番号、オリジナルなイメージデータが格納される。
【００１２】
この実施例１では、一般ユーザーのオリジナルなイメージデータとして、ユーザーの顔を例に取り、オリジナル腕時計を製造する例を説明する。
以下に作業工程を詳述する。
（１）ユーザーから、サーバ１のインターフェース２のホームページに画像を送信、ＰＣメール、携帯メールにより、オリジナルなイメージデータを受け取り、オリジナル時計の注文を受け付ける。サーバ１のオペレーティングシステムは、Ｗｉｎｄｏｗｓ（登録商標）ＸＰである。
（２）発注者のデータとして、ユーザーの住所、氏名、オリジナルなイメージデータをまとめてユーザー管理データベースＤ４に格納し、受注の管理をする。
データベース管理ソフトは、市販の任意のソフトウエアプログラムが使用できる。データが少ない内は、簡易に、Ｅｘｃｅｌ（登録商標）でも可能である。
【００１３】
（３）時計本体のデータベースＤ２から、腕時計のサイズ・色・デザイン、腕時計バンドおよび台紙に入れるイラスト等のパッケージを前もって用意し、腕時計本体の生産を進めておく。
（４）ユーザーの顔のオリジナルなイメージデータを腕時計の文字盤のサイズにして、鼻の下を腕時計針の中心に来るように合わせて、オリジナルなイメージデータを腕時計の文字盤にした原稿を作り、画像情報データベースＤ３に格納する。
この原稿の作成は、サーバ１に画像処理ソフトを格納して行ってもよいが、この実施例１では、オンラインで接続された画像処理を専門にするパソコンＰＣとして、Ｐｏｗｅｒ  Ｍａｃ（登録商標）Ｇ４（Ｍａｃ  ＯＳ  ９．２）を使用して、デザイナーが行う。
画像処理ソフトとしては、デザイナーの使い慣れたイラストレーター（登録商標）やフォトショップ（登録商標）を使用する。
【００１４】
（５）前記オリジナルなイメージデータの原稿に基づき、腕時計の文字盤を作製する。
その際に、ユーザーのオリジナルなイメージデータがユーザーの顔である場合に、そのイメージデータを処理・加工して時計の文字盤の大きさにして、鼻の下を針の中心に来るように合わせた時計の文字盤を作製する。
（６）前もって生産しておいた腕時計本体に、オリジナルなイメージデータの原稿に基づき作製した腕時計の文字盤を貼り合わせて、腕時計を完成させる。
【００１５】
（７）腕時計を検品し、腕時計をケースに入れるパッキングを行い、納品を受ける。
（８）最終検品を行い、ユーザー管理データベースＤ４のデータと照らし合わせて、発注者毎に振り分けて、伝票と共に、発送用パッキングを行い、出荷する。
以上の作業工程の流れを図２に示す。
完成した腕時計の１例を図３に示す。
このようにして完成した腕時計は、ユーザーにとって、時計針が髭のようになって、時刻の経過により顔の表情の変化を楽しむことができる。
【実施例２】
【００１６】
この実施例２では、ユーザーＵのオリジナルイメージデータの受取り方法として、写真を郵送、写真を直接持参、イベント会場等でイメージデータを受付ることにより、注文を受ける。
それ以後の工程は、実施例１の工程（２）から工程（８）と同じである。
以上の実施例１および実施例２では、腕時計を例に取ったが、腕時計に限られるものではなく、置き時計や目覚まし時計でも同様にユーザーのオリジナル時計を製造できることは明らかである。
この実施例２においても、ユーザーのオリジナルなイメージデータがユーザーの顔である場合に、そのイメージデータを処理・加工して時計の文字盤の大きさにして、鼻の下を針の中心に来るように合わせた時計の文字盤を作製することにより、時計針が髭のようになって、時刻の経過により顔の表情の変化を楽しむことができる。
【産業上の利用可能性】
【００１７】
インターネット等のネットワークを利用し、一般ユーザーのオリジナルなイメージデータを受け取り、そのイメージデータに基づく時計の生産を受け付けて、時計の文字盤を作製することにより、世界に一つのオリジナルな時計を容易に作製することができる。
そして、ユーザーのオリジナルなイメージデータがユーザーの顔である場合に、そのイメージデータを処理・加工して時計の文字盤の大きさにして、鼻の下を針の中心に来るように合わせた時計の文字盤を作製することにより、時計針が髭のようになって、時刻の経過により顔の表情の変化を楽しむことができる。
【図面の簡単な説明】
【００１８】
【図１】本発明に係る時計文字盤作成システムおよび時計作製方法の全体を示した説明図である。
【図２】時計作製方法の製造工程を示したフロー図である。
【図３】本発明により作製された実施例１の時計を示す平面図である。
【符号の説明】
【００１９】
１    サーバ
２    インターフェース
３    制御システム
４    データベース
５    インターネット等のネットワーク
６    パソコンユーザ−
７    携帯電話のユーザー
８    ＰＤＡのユーザー
Ａ１  Ｗｅｂページのインターフェース
Ａ２  パソコンで閲覧可能なインターフェース
Ａ３  ＰＤＡおよび携帯電話で閲覧可能なインターフェース
Ａ４  メール送受信可能なインターフェース
Ｂ１  統括制御システム
Ｂ２  パソコン対応システム
Ｂ３  ＰＤＡおよび携帯電話等の携帯端末対応システム
Ｂ４  メール送受信システム
Ｂ５  写真を郵送、直接持参、あるいはイベント会場等でイメージデータを直接受け付た場合に対応するシステム
Ｄ１  統括データベース
Ｄ２  時計本体、パッケージ等のデータベース
Ｄ３  画像情報データベース
Ｄ４  ユーザー管理データベース
ＯＰ  オペレーター（管理者、作業者）
ＰＣ  サーバ１にオンラインで接続されたパソコン
Ｄ    ＰＣを操作するデザイナー
【図１】
2005149134.tif 000003
【図２】
2005149134.tif 000004
【図３】
2005149134.tif 000005